(57)【特許請求の範囲】
【請求項１】
半導体チップの樹脂封止成形用金型を用いて、樹脂成形用の金型キャビティ内に離型フィルムを前記したキャビティの外周囲に設けた吸着孔で吸着することによって被覆させると共に、前記した離型フィルムを被覆した金型キャビティ内で半導体チップを樹脂材料で封止成形する半導体チップの樹脂封止成形方法であって、
前記した金型キャビティ内に前記した離型フィルムを被覆させるときに、前記した吸着孔の外周囲に設けた所要形状の吸引孔に前記した離型フィルムの端部を吸引して収容することを特徴とする半導体チップの樹脂封止成形方法。
【請求項２】
金型キャビティを被覆する離型フィルムを短尺状で或いは長尺状で形成したことを特徴とする請求項１に記載の半導体チップの樹脂封止成形方法。
【請求項３】
樹脂成形用の金型キャビティと、前記した金型キャビティを被覆する離型フィルムと、前記した金型キャビティの外周囲の金型面に設けた離型フィルム吸着用の吸着孔とを備えた半導体チップの樹脂封止成形用金型であって、前記した金型面に設けた吸着孔の外周囲に離型フィルムの端部を収容する吸引孔を設けて構成したことを特徴とする半導体チップの樹脂封止成形用金型。
【請求項４】
金型キャビティを被覆する離型フィルムを短尺状で或いは長尺状で形成したことを特徴とする請求項３に記載の半導体チップの樹脂封止成形用金型。
【発明の詳細な説明】
【技術分野】
【０００１】
本発明は、基板（或いは、リードフレーム）に装着したＩＣ等の半導体チップを樹脂材料にて封止成形（圧縮成形）する半導体チップの樹脂封止成形方法及びその金型の改良に関する。
【背景技術】
【０００２】
従来から、離型フィルム（リリースフィルム）を用いて、基板に装着したＩＣ等の半導体チップを樹脂材料にて封止成形（圧縮成形）することが行われているが、この方法は、半導体チップの圧縮成形用金型（半導体チップの樹脂封止成形用金型）を用いて、次のようにして行われている。
【０００３】
即ち、まず、半導体チップの圧縮成形用金型７１（上下両型７２、７３）における下型７３の型面の所要個所から空気を強制的に吸引排出することにより、下型キャビティ７４内に離型フィルム９を吸着して被覆させると共に、離型フィルム９を被覆した下型キャビティ７４内に樹脂材料を供給して加熱溶融化する。
このとき、上型７２の型面に設けられた基板供給部７５に、半導体チップ４側を下方向に向けた状態で基板５を供給セットする。
次に、金型７１（上下両型７２、７３）を型締めすることにより、下型キャビティ（圧縮成形用キャビティ）７４内で加熱溶融化された樹脂中に、基板５に装着した半導体チップ４を浸漬する。
このとき、キャビティ７４の底面に設けたキャビティ底面部材７６にてキャビティ７４内の樹脂を所要の押圧力で押圧することになる。
硬化に必要な所要時間の経過後、金型７１（上下両型７２、７３）を型開きすることにより、下型キャビティ７４の形状に対応した樹脂成形体内に基板５上の半導体チップ４を圧縮成形（封止成形）するようにしている。
【０００４】
なお、従来から、前述した圧縮成形（コンプレッションモールド法）と同様に、トランスファモールド法にて基板に装着した半導体チップを樹脂材料にて封止成形することが行われている。
この場合、ポット内で加熱溶融化された樹脂材料をプランジャで加圧することにより、離型フィルムを被覆した下型キャビティ内に加熱溶融化された樹脂材料を注入充填することが行われている。
従って、コンプレッションモールド法と同様に、トランスファモールド法にて、基板に装着した半導体チップをキャビティの形状に対応した樹脂成形体内に封止成形することが行われている。
【０００５】
【特許文献１】特開平１１−３４０６６号
【発明の開示】
【発明が解決しようとする課題】
【０００６】
しかしながら、図６（１）に示すように、半導体チップの圧縮成形用金型７１にて、短尺状の離型フィルム９を金型面に設けた吸着孔７７内に引き込んで吸着固定した場合、離型フィルムの端部９ａ（辺９ｂを含む）が巻き上がったり、また、めくり返って丸まったりすることによって、離型フィルム９の端部９ａが吸着孔７７の内部から下型７３の型面上に食み出した状態になる。
このため、下型７３の型面上に食み出た離型フィルム９の端部９ａと下型７３の型面に吸着された離型フィルム９とが重なり合った状態になり易い。特に、吸着孔７７の断面形状が四角形状の場合にはこの傾向は顕著である。
従って、前述したように、この状態で、金型７１（上下両型７２、７３）を型締めした場合、図６（２）に示すように、重なり合った状態の離型フィルム９のために、上下両型７２、７３の型面間に隙間７８が発生することになる。
また、前述したように、離型フィルム９の端部９ａが吸着孔７７の内部から下型７３の型面上に食み出した状態になって、離型フィルム９が重なり合った状態になるために、離型フィルム９を下型７３の型面に吸着固定する力が不安定となり、離型フィルム９を下型７３の型面に効率良く安定して吸着固定することができない。
【０００７】
即ち、前述したように、半導体チップの樹脂封止成形用金型の型面（金型キャビティ面を含む）に離型フィルム９を被覆するときに、離型フィルム９の端部９ａが金型面上に食み出た状態になることによって、金型面上に離型フィルム９が重なった状態になることを効率良く防止することができないと云う弊害がある。
また、前述したように、半導体チップの樹脂封止成形用金型を型締めするときに、重なり合った状態の離型フィルム９のために、金型７１（７２、７３）の型面間に隙間７８が発生することを効率良く防止することができないと云う弊害がある。
また、前述したように、半導体チップの樹脂封止成形用金型（金型キャビティ面を含む）の型面に離型フィルム９を被覆するときに、重なり合った状態の離型フィルム９のために、離型フィルム９を金型面に効率良く安定して吸着固定することができないと云う弊害がある。
【０００８】
従って、本発明は、半導体チップの樹脂封止成形用金型の型面に離型フィルムを被覆させるときに、金型面上に離型フィルムが重なった状態になることを効率良く防止することを目的とする。
また、本発明は、半導体チップの樹脂封止成形用金型を型締めするときに、金型面上に離型フィルムが重なった状態になることを効率良く防止し得て、金型の型面間に隙間が発生することを効率良く防止することを目的とする。
また、本発明は、半導体チップの樹脂封止成形用金型の型面に離型フィルムを被覆するときに、金型面上に離型フィルムが重なった状態になることを効率良く防止し得て、離型フィルムを金型面に効率良く安定して吸着固定することを目的とする。
【０００９】
なお、前述した離型フィルムの巻き上がりを効率良く防止するために、或いは、離型フィルムの安定した吸着固定状態を形成するために、離型フィルムの吸着固定面積を増加させることが検討されたが、離型フィルムの面積の増大や、金型が大型化するなど、製造コストが大幅に増加し、これらの弊害を解決することができなかった。
【課題を解決するための手段】
【００１０】
前記技術的課題を解決するための本発明に係る半導体チップの樹脂封止成形方法は、半導体チップの樹脂封止成形用金型を用いて、樹脂成形用の金型キャビティ内に離型フィルムを前記したキャビティの外周囲に設けた吸着孔で吸着することによって被覆させると共に、前記した離型フィルムを被覆した金型キャビティ内で半導体チップを樹脂材料で封止成形する半導体チップの樹脂封止成形方法であって、前記した金型キャビティ内に前記した離型フィルムを被覆させるときに、前記した吸着孔の外周囲に設けた所要形状の吸引孔に前記した離型フィルムの端部を吸引して収容することを特徴とする。
【００１１】
また、前記した技術的課題を解決するための本発明に係る半導体チップの樹脂封止成形方法は、半導体チップの樹脂封止成形用金型を用いて、樹脂成形用の金型キャビティ内に離型フィルムを前記したキャビティの外周囲に設けた吸着孔で吸着することによって被覆させると共に、前記した離型フィルムを被覆した金型キャビティ内で半導体チップを樹脂材料で封止成形する半導体チップの樹脂封止成形方法であって、前記した金型に設けた押圧部材と前記した金型の型面との間に前記した離型フィルムの端部を挟持することを特徴とする。
【００１２】
また、前記技術的課題を解決するための本発明に係る半導体チップの樹脂封止成形方法は、前記した金型キャビティを被覆する離型フィルムを短尺状で或いは長尺状で形成したことを特徴とする。
【００１３】
また、前記した技術的課題を解決するための本発明に係る半導体チップの樹脂封止成形用金型は、樹脂成形用の金型キャビティと、前記した金型キャビティを被覆する離型フィルムと、前記した金型キャビティの外周囲の金型面に設けた離型フィルム吸着用の吸着孔とを備えた半導体チップの樹脂封止成形用金型であって、前記した金型面に設けた吸着孔の外周囲に離型フィルムの端部を収容する吸引孔を設けて構成したことを特徴とする。
【００１４】
また、前記した技術的課題を解決するための本発明に係る半導体チップの樹脂封止成形用金型は、樹脂成形用の金型キャビティと、前記した金型キャビティを被覆する離型フィルムと、前記した金型キャビティの外周囲の金型面に設けた離型フィルム吸着用の吸着孔とを備えた半導体チップの樹脂封止成形用金型であって、前記した吸着孔を設けた金型面と対向配置した金型面に前記した離型フィルムの端部を押圧する押圧部材を設けて構成したことを特徴とする。
【００１５】
また、前記した技術的課題を解決するための本発明に係る半導体チップの樹脂封止成形用金型は、前記した金型キャビティを被覆する離型フィルムを短尺状で或いは長尺状で形成したことを特徴とする。
【発明の効果】
【００１６】
即ち、本発明によれば、半導体チップの樹脂封止成形用金型の型面に離型フィルムを被覆させるときに、離型フィルムの端部を吸引孔内に引き込んで収容することにより、離型フィルムの端部が金型面上に食み出た状態になることを効率良く防止し得て、金型面上に離型フィルムが重なった状態になることを効率良く防止することができると云う優れた効果を奏する。
また、本発明によれば、半導体チップの樹脂封止成形用金型を型締めするときに、金型面上に離型フィルムが重なった状態になることを効率良く防止し得て、金型の型面間に隙間が発生することを効率良く防止することができると云う優れた効果を奏する。
また、本発明によれば、半導体チップの樹脂封止成形用金型の型面に離型フィルムを被覆するときに、金型面上に離型フィルムが重なった状態になることを効率良く防止し得て、離型フィルムを金型面に効率良く安定して吸着固定することができると云う優れた効果を奏する。
【発明を実施するための最良の形態】
【００１７】
本発明に係る半導体チップの樹脂封止成形用金型（半導体チップの圧縮成形用金型）においては、金型キャビティ内に、金型キャビティ面に設けた吸着孔にて離型フィルムをキャビティの形状に沿って吸着被覆させることができるように構成されている。
また、金型面における金型キャビティの外周囲に短尺状（或いは、長尺状）の離型フィルムを吸着する周溝状の吸着孔が設けられて構成されると共に、この吸着孔にて離型フィルムを金型面に吸着固定して被覆させることができるように構成されている。
また、金型面において、金型キャビティ（キャビティ開口部）の外周囲に設けられた吸着孔の外周囲には離型フィルムの端部（辺を含む）を引き込んで収容する周溝状の吸引孔が設けられて構成されている。
なお、キャビティ面の吸着孔、金型面の吸着孔、金型面の吸引孔においては、それらの開口部から空気を強制的に各別に吸引排出することができるように構成され、離型フィルムを吸着或いは引き込むことができるように構成されている。
【００１８】
即ち、本発明に係る金型における金型面に短尺状の離型フィルムを供給セットすることにより、離型フィルムを、金型キャビティ面と金型面とにこれらの形状に沿って被覆させることができる。
このとき、離型フィルムの端部（辺を含む）を吸引孔内に引き込んで収容することができる。
即ち、離型フィルムの端部（辺を含む）は吸引孔内に収容された状態になるため、離型フィルムの端部が巻き上がったりして金型面上に食み出すことを効率良く防止することができる。
従って、金型の型面（キャビティ面を含む）に離型フィルムを被覆させるときに、離型フィルムの端部を吸引孔内に引き込んで収容することにより、離型フィルムの端部が金型面上に食み出た状態になることを効率良く防止し得て、金型面上に離型フィルムが重なった状態になることを効率良く防止することができる。
このため、半導体チップの樹脂封止成形用金型を型締めするときに、金型面上に離型フィルムが重なった状態になることを効率良く防止し得て、金型の型面間に隙間が発生することを効率良く防止することができる。
また、このため、半導体チップの樹脂封止成形用金型の型面に離型フィルムを被覆するときに、金型面上に離型フィルムが重なった状態になることを効率良く防止し得て、離型フィルムを金型面に効率良く安定して吸着固定することができる。
【実施例１】
【００１９】
まず、本発明に係る実施例１を詳細に説明する。
図１は、実施例１（本発明）に係る半導体チップの圧縮成形用金型（半導体チップの樹脂封止成形用金型）である。
図２（１）、図２（２）は、実施例１に係る金型に設けられた離型フィルムの端部を吸引して収容する吸引孔を説明する図である。
【００２０】
（実施例１に係る半導体チップの圧縮成形用金型の構成について）
図１、図２（１）、図２（２）に示すように、実施例１に係る半導体チップの圧縮成形用金型（半導体チップの樹脂封止成形用金型）１には、固定上型２と、上型１に対向配置した可動下型２とが設けられて構成されている。
また、上型２の型面には、半導体チップ４を装着した基板５を、半導体チップ４の装着側を下方向に向けた状態で供給セットする基板供給部（基板セット用凹所）６が設けられて構成されると共に、下型３の型面には上方に開口したキャビティ開口部を有する圧縮成形用（樹脂成形用）の下型キャビティ７が設けられて構成されている。
また、下型キャビティ７の底面にはキャビティ７内の樹脂を（上動して）所要の押圧力にて押圧するキャビティ底面部材８が設けられて構成されている。
また、図示はしていないが、金型１（上下両型２、３）の所要個所には金型１を所要の樹脂成形温度（例えば、１７５度Ｃ）にまで加熱する加熱手段が設けられて構成されている。
即ち、上下両型１（２、３）の型締時に、下型キャビティ７内で加熱溶融化した樹脂中に、上型２の基板供給部６に供給セットした基板５に装着した半導体チップ４を浸漬し、更に、キャビティ底面部材８にて所要の押圧力で下型キャビティ７内の樹脂を押圧することができるように構成されている。
従って、下型キャビティ７の形状に対応した樹脂成形体内に半導体チップ４を封止成形（圧縮成形）することができるように構成されている。
【００２１】
また、実施例１においては、下型キャビティ７の内面と下型３の型面とを被覆する所要形状の離型フィルム（９）が設けられて構成されている。
また、この所要形状の離型フィルムは、例えば、短尺状（或いは、矩形状）にて形成されるものである。
また、この短尺状（短冊状）の離型フィルム９は、その中央部と、その外周囲に形成される端部（辺近傍部）９ａとから構成され、この端部９ａは短尺状の離型フィルム９における辺９ｂを含むものである。
【００２２】
また、図例に示すように、下型３の型面におけるキャビティ７（キャビティ開口部）の外周囲には短尺状の離型フィルム９を吸着固定する型面環状の吸着孔１０が（周溝状態で）設けられて構成されている。
また、図示はしていないが、下型３の型面に設けられた環状の吸着孔１０には、下型面の吸着孔１０から空気を強制的に吸引排出する真空ポンプ等の型面吸着孔の真空引き機構が設けられて構成されている。
従って、下型面の吸着孔１０から空気を強制的に吸引排出することにより、離型フィルム９を下型３の型面の形状に沿って被覆することができるように構成されている。
【００２３】
また、図示はしていないが、下型キャビティ７の内面の所要個所には、離型フィルム９を吸着固定するキャビティの吸着孔と、キャビティの吸着孔から空気を強制的に吸引排出する真空ポンプ等のキャビティ吸着孔の真空引き機構とが設けられて構成されている。
また、図示はしていないが、この金型１には、下型３の型面の所要位置に短尺状の離型フィルム９を各別に（例えば、一枚ずつ）供給する短尺状離型フィルムの供給機構と、離型フィルム９を被覆した下型キャビティ７内に樹脂材料を供給する樹脂材料の供給機構とが設けられて構成されている。
従って、キャビティ吸着孔の真空引き機構を用いて、キャビティの吸着孔から空気を強制的に吸引排出することにより、離型フィルム９を下型キャビティ７の内面に沿って吸着固定して下型キャビティ７内に離型フィルム９を被覆させることができるように構成されている。
また、樹脂材料の供給機構にて、離型フィルム９を被覆した下型キャビティ７内に樹脂材料を供給して加熱溶融化することができるように構成されている。
【００２４】
また、上型２の型面には、Ｏリング等の外気遮断用のシール部材（外気遮断部材）１１が設けられると共に、上下両型１（２、３）の型締時に、下型３の型面に上型２のシール部材１１を当接することによって、少なくとも、下型キャビティ７内を外気遮断状態にして金型１に外気遮断空間部（図示なし）を形成することができる。
このとき、下型３の型面に被覆した短尺状の離型フィルム９は、外気遮断空間部内でシール部材１１と接触しない状態で配置されるように構成されている。
また、図示はしていないが、金型１には、外気遮断空間部から空気を強制的に吸引排出する真空ポンプ等の排気手段が設けられて構成されている。
また、図示はしていないが、金型１の所要個所には真空パイプ等の真空経路（の排出口）が設けられて構成されている。
従って、排気手段にて、下型キャビティ７を含む外気遮断空間部から真空経路（の排出口）を通して空気を強制的に吸引排出することにより、下型キャビティ７を含む外気遮断空間部を所要の真空度に設定することができるように構成されている。
なお、上下両型１（２、３）の型締時にシール部材１１にて形成される外気遮断空間部内に、短尺状の離型フィルム９、下型キャビティ７、下型面の吸着孔１０、後述する離型フィルムの吸引孔が配置されることになる。
【００２５】
（実施例１における離型フィルムの吸引孔の構成について）
また、図例に示すように、下型３の型面における型面環状の吸着孔１０の外周囲には、離型フィルム９の端部９ａ（辺９ｂを含む）側を引き込んで収容する型面環状の吸引孔１２が（周溝状態で）設けられて構成されている。
また、吸引孔１２には、吸引孔の開口部（型面）１２ａから空気を強制的に吸引排出する真空ポンプ等の吸引孔の真空引き機構が設けられて構成されると共に、吸引孔１２と吸引孔の真空引き機構１３とは吸引経路１４を介して連通接続することができるように構成されている。
即ち、吸引孔の真空引き機構１３にて、吸引経路１２を通して吸引孔１２の開口部１２ａから空気を強制的に吸引排出することができるように構成されている。
従って、吸引孔１２の開口部１２ａから空気を強制的に吸引排出することにより、短尺状の離型フィルム９の端部９ａ（辺９ｂを含む）を吸引孔１２の内部に効率良く引き込んで収容することができるように構成されている（所謂、吸引孔１２内に離型フィルム９の端部９ａを仕舞い込んだ状態に構成されるものである）。
このとき、離型フィルム９の端部９ａはその端部９ａ全体を吸引孔１２の内部に効率良く引き込まれることができるように構成され、離型フィルム９の端部９ａは下型３の型面上に食み出した状態にはならないように（突出した状態にならないように、或いは、露出した状態にならないように）構成されている。
即ち、離型フィルム９の端部９ａ（辺９ｂを含む）を吸引孔１２内に効率良く引き込むことができるように構成されている。
従って、半導体チップの樹脂封止成形用金型１の下型３の型面に短尺状の離型フィルム９を被覆させるときに、短尺状の離型フィルム９の端部９ａ（辺９ｂを含む）が巻き上がること（また、離型フィルム９の端部９ａがめくれること）を効率良く防止することができる。
このため、離型フィルム９の端部９ａ（辺９ｂを含む）を吸引孔１２内に効率良く引き込むことができるので、下型３の型面で離型フィルム９が重なりあった状態になることを効率良く防止することができる。
また、短尺状の離型フィルム９の端部９ａが巻き上がることを効率良く防止し得て、離型フィルム９が重なりあった状態になることを効率良く防止することができるので、上下両型２、３の型締時に、上下両型２、３の型面にて重なり合った状態の離型フィルム９を挟持することを効率良く防止することができる。
従って、半導体チップの樹脂封止成形用金型１（２、３）を型締めするときに、金型１（２、３）の型面間に隙間が発生することを効率良く防止することができる。
【００２６】
また、この吸引孔１２は、所要の幅と、所要の深さと、所要の断面形状と、を有するものである。
例えば、図１、図２（１）、図２（２）に示す図例では、吸引孔１２の断面形状が、幅広の開口部１２ａ（三角形の底辺）を有する逆三角形状に形成されて設けられている。
即ち、吸引孔１２の開口部１２ａが幅広であるため、短尺状の離型フィルム９の端部９ａ（辺９ｂを含む）を、この幅広の開口部１２ａから吸引孔１２内に、効率良く且つ容易に引き込んで収容することができるように構成されている。
なお、実施例１においては、例えば、短尺状離型フィルム９の端部９ａにおける辺９ｂを吸引孔１２の開口部１２ａ内に配置させる構成を採用することができる。
【００２７】
〔半導体チップの樹脂封止成形方法（半導体チップの圧縮成形方法）について〕
まず、図１に示すように、上型２の基板供給部６に半導体チップ４を装着した基板５を供給セットすると共に、１枚の短尺状の離型フィルム９を下型３の型面における所要位置に供給セットする。
次に、下型面の吸着孔１０から空気を強制的に吸引排出することにより、下型面に、下型面の形状に沿って短尺状の離型フィルム９を被覆させる。
このとき、キャビティの吸着孔から空気を強制的に吸引排出することにより、キャビティ７内に離型フィルム９をキャビティ７の形状に沿って被覆させる。
また、このとき、吸引孔１２の幅広の開口部１２ａから空気を強制的に吸引排出することにより、短尺状の離型フィルム９の端部９ａ（辺９ｂを含む）側を吸引孔１２内に引き込んで収容することができる。
従って、短尺状の離型フィルム９の端部９ａ（辺９ｂを含む）側を吸引孔１２内に収容することにより、短尺状の離型フィルム９の端部９ａが下型３の型面上に食み出ることを効率良く防止することができる。
【００２８】
また、次に、離型フィルム９を被覆した下型キャビティ７内に樹脂材料を供給して加熱溶融化すると共に、上下両型２、３を型締めする。
このとき、離型フィルム９の端部９ａは吸引孔１２内に収容されているので、離型フィルム９の端部９ａ（辺９ｂを含む）が食み出て下型３の型面上に巻き上がることを効率良く防止し得て、離型フィルム９が重なり合う状態になることを効率良く防止することができる。
このため、上下両型２、３の型締時に、上下両型２、３の型面間に、重なり合った状態の離型フィルム９（端部９ａ）が挟持されることを効率良く防止することができる。
また、このとき、上下両型２、３の型締時に、下型キャビティ７内の加熱溶融化された樹脂中に、上型２の基板供給部６に供給セットした基板５に装着した半導体チップ４を浸漬すると共に、キャビティ底面部材８にて所要の押圧力にて下型キャビティ７内の樹脂を押圧する（圧縮成形する）ことができる。
硬化に必要な所要時間の経過後、上下両型２、３を型開きすることにより、下型キャビティ７内で下型キャビティ７の形状に対応した樹脂成形体内に半導体チップ４を封止成形（圧縮成形）することができる。
【００２９】
（作用効果について)
即ち、実施例１（本発明）によれば、半導体チップの樹脂封止成形用金型１の型面に短尺状の離型フィルム９を被覆させるときに、下型３の型面に設けた吸引孔１２から空気を強制的に吸引排出することにより、短尺状の離型フィルム９の端部９ａ（辺９ｂを含む）を吸引孔１２内に効率良く引き込むことができるので、短尺状の離型フィルム９の端部９ａが下型３の型面上に食み出て巻き上がることを効率良く防止することができる。
【００３０】
また、実施例１（本発明）によれば、半導体チップの樹脂封止成形用金型の型面に短尺状の離型フィルム９を被覆させるときに、型面の吸引孔１２から空気を強制的に吸引排出することにより、短尺状の離型フィルム９における端部９ａ（辺９ｂを含む）を吸引孔１２内に収容して下型２の型面上に食み出ることを効率良く防止することができる。
このため、下型３の型面で、離型フィルム９が重なりあった状態になることを効率良く防止することができる。
即ち、実施例１によれば、従来例に示すような、上下両型１（２、３）の型締時に、下型２の型面上に離型フィルム９が食み出ることにより、離型フィルム９が重なり合った状態になることを効率良く防止することができる。
また、実施例１によれば、離型フィルム９が重なり合った状態になることを効率良く防止し得て、従来例に示すような重なり合った状態の離型フィルム９を上下両型１（２、３）間に挟持することによって上下両型１（２、３）間に形成される隙間７８を、効率良く防止することができる。
【００３１】
また、実施例１によれば、半導体チップの樹脂封止成形用金型の型面に離型フィルム９を被覆するときに、金型面上に離型フィルム９が重なった状態になることを効率良く防止し得て、離型フィルム９を金型面に効率良く安定して吸着固定することができる。
更に、実施例１（本発明）によれば、短尺状の離型フィルム９に対する吸着孔１０の吸着作用と、短尺状の離型フィルム９に対する吸引孔１２の吸引作用とを併用することによって、（実質的に、離型フィルム９の吸着固定面積を効率良く増加させることによって、）短尺状の離型フィルム９を金型面に効率良く安定して吸着固定することができる。
【００３２】
なお、前述したように、実施例１において、下型３の型面に設けられた吸引孔１２の開口部１２ａは幅広であるため、短尺状の離型フィルム９の端部９ａ（辺９ｂを含む）を、この幅広の開口部１２ａから吸引孔１２内に、効率良く且つ容易に引き込んで収容することができる。
【実施例２】
【００３３】
次に、実施例２を、図３（１）、図３（２）を用いて説明する。
図３（１）、図３（２）は、実施例２（本発明）に係る半導体チップの圧縮成形用金型（半導体チップの樹脂封止成形用金型）である。
また、図３（１）は短尺状の離型フィルムの金型面への被覆前の状態を示し、図３（１）は短尺状の離型フィルムの被覆状態を示している。
なお、実施例２においては、実施例１と同じ構成部材には同じ符号を付すものである。
また、実施例２においては、実施例１と同様に、短尺状の離型フィルム９が用いられると共に、その端部（辺９ｂを含む）を９ａで示すものである。
【００３４】
（実施例２に係る半導体チップの圧縮成形用金型の構成について）
実施例２に係る半導体チップの圧縮成形用金型（半導体チップの樹脂封止成形用金型）２１は、実施例１と同様に、固定上型と、可動下型２２と、上型に設けた基板供給部と、上型に設けたシール部材と、上下両型面とシール部材とで形成される外気遮断空間部から空気を強制的に吸引排出する排気手段とが設けられて構成されている。
また、下型２２には、実施例１と同様に、下型キャビティ７と、キャビティ底面部材８と、キャビティ７に設けられたキャビティの吸着孔と、キャビティの吸着孔から空気を強制的に吸引排出して離型フィルム９をキャビティ面に沿って被覆させるキャビティの真空引き機構とが設けられて構成されている。
また、下型２２の型面において、実施例１と同様に、下型キャビティ７の外周囲には型面環状の吸着孔１０が（周溝状態で）設けられて構成されると共に、型面の吸着孔１０には当該吸着孔１０から空気を強制的に吸引排出する型面吸着孔の真空引き機構が設けられて構成されている。
【００３５】
即ち、実施例２において、実施例１と同様に、上下両型２１の型締時に、まず、離型フィルム９を被覆した下型キャビティ７内で加熱溶融化した樹脂中に、基板（５）に装着した半導体チップ（４）を浸漬し、次に、下型キャビティ７内の樹脂をキャビティ底面部材８にて所要の押圧力にて押圧することができるように構成されている。
従って、下型キャビティ７の形状に対応した樹脂成形体内に半導体チップ（４）を封止成形（圧縮成形）することができるように構成されている。
【００３６】
（実施例２における離型フィルムの吸引孔の構成について）
実施例２に示す金型において、実施例１と同様に、下型２２の型面における型面環状の吸着孔１０の外周囲には、離型フィルム９の端部９ａ（辺９ｂを含む）側を引き込んで収容する型面環状の吸引孔２３が（周溝状態で）設けられて構成されている。
また、吸引孔２３には、吸引孔の開口部（型面）２３ａから空気を強制的に吸引排出する真空ポンプ等の吸引孔の真空引き機構（図示なし）が設けられて構成されると共に、吸引孔２３と吸引孔の真空引き機構とは吸引経路１４を介して連通接続するように構成されている。
即ち、吸引孔の真空引き機構にて、吸引経路１４を通して吸引孔２３から空気を強制的に吸引排出することができるように構成されている。
従って、吸引孔２３から空気を強制的に吸引排出することにより、短尺状の離型フィルム９の端部９ａ（辺９ｂを含む）を吸引孔２３の内部に効率良く引き込んで収容することができるように構成されている。
このとき、離型フィルム９の端部９ａはその端部９ａ全体を吸引孔の内部に効率良く引き込まれることができるように構成されているので、離型フィルム９の端部９ａ（辺９ｂを含む）は下型２２の型面上に食み出した状態（離型フィルム９の端部９ａが巻き上がった状態、また、離型フィルム９の端部９ａがめくれた状態）になることを効率良く防止することができるように構成されている。
このため、実施例１と同様に、実施例２において、離型フィルム９が重なり合った状態になることを効率良く防止することができる。
また、実施例２によれば、実施例１と同様に、従来例に示すような重なり合った状態の離型フィルム９を上下両型間に挟持して形成される隙間７８を、効率良く防止することができる。
従って、実施例２によれば、実施例１と同様に、半導体チップの樹脂封止成形用金型２１（２２）を型締めしたときに、（巻き上がった離型フィルム９の端部９ａにて、）金型２１（２２）の型面間に隙間が発生することを効率良く防止することができる。
また、実施例２によれば、実施例１と同様に、下型２２の型面上に離型フィルム９が重なった状態になることを効率良く防止し得て、離型フィルム９を下型２２の型面に効率良く安定して吸着固定することができる。
【００３７】
また、この吸引孔２３は、所要の幅と、所要の深さ２３ｂと、所要の断面形状とを有するものであり、断面形状が矩形状であって、吸引孔２３の深さ２３ｂは短尺状離型フィルムの端部９ａ（辺９ｂ）を吸引孔２３内に引き込むために必要且つ十分な深さに或いはそれ以上に設定されて構成されている。
例えば、断面が細長い長方形状の吸引孔２３にて形成することができる。
従って、吸引孔２３の開口部２３ａとなる幅（溝幅）が狭く設定されていたとしても、吸引孔２３に辺９ｂを含む端部９ａを、この必要且つ十分な深さを有する（或いは、それ以上の深さを有する）吸引孔２３に引き込むことができるように構成されている。
【００３８】
また、下型２２の型面に短尺状の離型フィルム９を供給セットする場合、離型フィルム９の端部９ａの辺９ｂを吸引孔２３の開口部２３ａの外側に位置させることができる。
この場合において、離型フィルム９の端部９ａ（辺９ｂ）を吸引孔の開口部２３ａから引き込んで吸引孔２３内に効率良く収容することができるように構成されている。
【００３９】
〔実施例２における半導体チップの樹脂封止成形方法（半導体チップの圧縮成形方法）について〕
即ち、実施例２において、実施例１と同様に、まず、短尺状の離型フィルム９を下型２２の型面における所定位置に供給セットする。
このとき、キャビティの吸着孔と下型面の吸着孔１０との夫々から空気を強制的に各別に吸引排出することにより、キャビティ７と下型面に短尺状の離型フィルム９を被覆させることができる。
また、このとき、短尺状の離型フィルム９の端部９ａ（辺９ｂを含む）側は吸引孔２３内に引き込まれることになり、離型フィルム９の辺９ｂを含む端部９ａ側は吸引孔２３内に収容されることになる。
従って、次に、上下両型２１（２２）を型締めすることにより、基板（５）に装着した半導体チップ（４）を下型キャビティ７内で加熱溶融化した樹脂中に浸漬し、更に、下型キャビティ７内の樹脂をキャビティ底面部材８にて所要の押圧力で押圧することなる。
硬化に必要な所要時間の経過後、上下両型２１（２２）を型開きすることにより、キャビティ７の形状に対応した樹脂成形体内に半導体チップ（４）を封止成形（圧縮成形）することができる。
【００４０】
（実施例２における作用効果について）
即ち、実施例２（本発明）によれば、実施例１と同様に、半導体チップの樹脂封止成形用金型２１の型面に短尺状の離型フィルム９を被覆させるときに、下型２２の型面に設けた吸引孔２３から空気を強制的に吸引排出することにより、短尺状の離型フィルム９の端部９ａ（辺９ｂを含む）を吸引孔２３内に効率良く引き込んで収容することができる。
このため、短尺状の離型フィルム９の端部９ａが下型３の型面上に食み出て巻き上がること（また、めくれ上がること）を効率良く防止することができる。
従って、実施例２によれば、実施例１と同様に、離型フィルム９が重なり合った状態になることを効率良く防止することができる。
更に、実施例２によれば、実施例１と同様に、従来例に示すような重なり合った状態の離型フィルム９を上下両型面間に挟持して形成される隙間７８を効率良く防止することができる。
また、実施例２によれば、実施例１と同様に、下型２２の型面上に離型フィルム９が重なった状態になることを効率良く防止することができるので、離型フィルム９を下型２２の型面に効率良く安定して吸着固定することができる。
なお、実施例２（本発明）によれば、実施例１と同様に、離型フィルム９に対する吸着孔１０の吸着作用と、離型フィルム９に対する吸引孔１２の吸引作用とを併用することによって、（実質的に、離型フィルム９の吸着固定面積を効率良く増加させることによって、）短尺状の離型フィルムを金型面に効率良く安定して吸着固定することができる。
【実施例３】
【００４１】
次に、実施例３を、図４、図５を用いて説明する。
図４は、実施例３（本発明）に係る半導体チップの圧縮成形用金型（半導体チップの樹脂封止成形用金型）である。
また、図４は短尺状の離型フィルムの金型面への被覆前の状態を示し、図５は短尺状の離型フィルムの被覆状態を示している。
なお、実施例３においては、実施例１と同じ構成部材には同じ符号を付すものである。
また、実施例３においては、実施例１と同様に、短尺状の離型フィルム９が用いられると共に、その端部（辺９ｂを含む）を９ａで示すものである
【００４２】
（実施例３に係る半導体チップの圧縮成形用金型の構成について）
即ち、図４及び図５に示すように、実施例３に係る半導体チップの圧縮成形用金型（半導体チップの樹脂封止成形用金型）３１には、実施例１と同様に、固定上型３２と、上型３２に対向配置した可動下型３３とが設けられて構成されると共に、上型３２に設けられた半導体チップ４に装着した基板５を供給セットする基板供給部６と、樹脂成形用の下型キャビティ７と、下型キャビティ７内の樹脂を所要の押圧力にて加圧するキャビティ底面部材８と、下型キャビティ７に設けられた離型フィルムを吸着する吸着孔とが設けられて構成されている。
また、実施例３に係る金型３１には、下型３３の型面に設けられ且つ下型キャビティ７の外周囲に設けられた吸着孔１０と、上型３２における下型キャビティ７及び吸着孔１０の外周囲となる位置に設けられ且つ上下両型３１（３２、３３）の型締時に外気遮断空間部を形成するシール部材１１と、外気遮断空間部を所要の真空度に設定する真空引き機構とが設けられて構成されている。
また、実施例３においては、樹脂材料（図示なし）を離型フィルム９に載置した状態で下型３３の型面の所要位置に供給セットすることができるように構成されている。
なお、樹脂材料としては、顆粒状の樹脂材料、粉末状の樹脂材料などが用いられる。
【００４３】
また、実施例３に係る金型３１において、下型３３の型面に設けた吸着孔１０の位置に対応する上型３２の型面位置には、下型３３の型面に供給された短尺状の離型フィルム９の辺９ｂを含む端部９ａを所要の弾性押圧力で弾性押圧する押圧部材３４が、圧縮スプリング等の弾性部材３５にて下型３３方向に付勢することができるように設けられて構成されている。
従って、上下両型３１（３２、３３）の型締時に、まず、下型３３の型面の所要位置に供給セットされた短尺状の離型フィルム９の辺９ｂを含む端部９ａを押圧部材３４にて所要の押圧力で弾性押圧し、次に、下型面の吸着孔１０から空気を強制的に吸引排出することにより、離型フィルム９を押圧と吸着とで下型３３の型面に固定することができるように構成されている。
このとき、離型フィルム９の辺９ｂを含む端部９ａは押圧部材３４で弾性押圧されて押圧部材３４と下型３３の型面とで押圧挟持されて構成されている。
従って、実施例３に係る押圧部材３４（下型３３の型面）にて、離型フィルム９の端部９ａ（辺９ｂを含む）を効率良く挟持することができるので、離型フィルム９の端部９ａが巻き上がることを効率良く防止することができるように構成されている。
なお、このとき、下型キャビティ７の吸着孔（図示なし）から空気を強制的に吸引排出することにより、離型フィルム９を下型キャビティ７の形状に沿って被覆させることができるように構成されている。
【００４４】
また、押圧部材３４と下型３３の型面とで押圧挟持された離型フィルム９に対してキャビティの吸着孔から圧縮空気を圧送することにより、離型フィルム９に発生するしわを効率良く伸ばすことができるように構成されている。
また、樹脂材料にて、下型キャビティ７４内で基板５に装着した半導体チップ４を下型キャビティ７４の形状に対応した樹脂成形体に封止成形（圧縮成形）した後、離型フィルム９を介してキャビティ７４の面（吸着孔）から圧縮空気を圧送することにより、下型キャビティ７４内から樹脂成形体を離型することができるように構成されている。
この場合、離型フィルム９の端部９ａを押圧部材３４と下型３３の型面とで押圧挟持しているので、離型フィルム９自体（樹脂成形体）が、圧送された圧縮空気にて下型３３の型面から離脱して金型３１の外部に吹き飛ぶことがないように構成されている。
【００４５】
〔実施例３における半導体チップの樹脂封止成形方法（半導体チップの圧縮成形方法）について〕
即ち、図４に示すように、半導体チップの圧縮成形用金型３１において、まず、上型３２の基板供給部６に半導体チップ４を装着した基板５を供給セットし、且つ、下型３３の型面における所要の位置に、短尺状の離型フィルム９を、樹脂材料（図示なし）を載置した状態で供給セットすると共に、上下両型３１（３２、３３）の型面間を所要の間隔で保持する上下両型３１（３２、３３）の中間的な型締めを行う。
このとき、図５に示すように、押圧部材３４と下型３３の型面とで離型フィルム９の辺９ｂを含む端部９ａを挟持する（弾性押圧する）ことができると共に、基板５に装着した半導体チップ４は離型フィルム９上の樹脂材料と接触しないように構成されている。
また、次に、離型フィルム９を押圧部材３４で押圧した状態で、キャビティの吸着孔と型面の吸着孔１０との夫々から空気を強制的に吸引排出することにより、キャビティ７の面と下型３３の型面とに沿って離型フィルム９を被覆させることができる。
このとき、離型フィルム９上の樹脂材料は下型キャビティ７内で加熱溶融化することになる。
【００４６】
次に、図５に示すように、上下両型３１（３２、３３）の型面を閉じ合わせて上下両型３１（３２、３３）の完全に型締する。
このとき、下型キャビティ７内で加熱溶融化した樹脂中に基板５に装着した半導体チップ４を浸漬し、更に、下型キャビティ７内の樹脂をキャビティ底面部材８で押圧することができる。
硬化に必要な所要時間の経過後、上下両型３１（３２、３３）を型開きすることにより、下型キャビティ７の形状に対応した樹脂成形体内に基板５に装着した半導体チップ４を封止成形（圧縮成形）することができる。
【００４７】
（実施例３の作用効果について）
即ち、実施例３（本発明）によれば、上下両型３１（３２、３３）の（中間的な）型締時に、短尺状の離型フィルム９の辺９ｂを含む端部９ａを押圧部材３４と下型３３の型面とで効率良く挟持することができる。
従って、実施例３によれば、吸着孔１０で離型フィルム９を吸着する前に、実施例３に示す押圧部材３４の押圧にて短尺状の離型フィルム９の端部９ａが下型３３の型面上に巻き上がること（また、めくれ上がること）を効率良く防止することができる。
また、実施例３によれば、実施例１、２と同様に、半導体チップの樹脂封止成形用金型の型面に短尺状の離型フィルム９を被覆させるときに、型面の吸着孔１０から空気を強制的に吸引排出することにより、短尺状の離型フィルム９の端部９ａ（辺９ｂを含む）を吸着孔１０内に効率良く引き込んで吸着固定することができる。
また、実施例３によれば、実施例１、２と同様に、離型フィルム９に対する吸着孔１０の吸着作用と、離型フィルム９に対する押圧部材３４の押圧作用とを併用することによって、短尺状の離型フィルム９を金型面に効率良く安定して吸着固定することができる。
【００４８】
即ち、実施例３によれば、半導体チップの樹脂封止成形用金型１を型締めするときにおいて、下型３３の型面に設けた吸着孔１０で離型フィルム９を吸着する前に、押圧部材３４（上型３２の型面）と下型３３の型面とで離型フィルム９の端部９ａ（辺９ｂを含む）を挟持する構成である。
このため、吸着孔１０の吸着にて離型フィルム９の端部９ａ（辺９ｂ）が巻き上がって離型フィルム９が重なり合うことを効率良く防止することができる。
従って、前記した各実施例と同様に、実施例３によれば、従来例に示すような金型の型面間に隙間７８が発生することを効率良く防止することができる。
また、前記した各実施例と同様に、実施例３によれば、下型３３の型面に離型フィルム９を効率良く安定して吸着固定することができる。
【００４９】
（樹脂材料供給用の凹部を有する離型フィルムについて）
また、実施例３において、短尺状の離型フィルム９にキャビティ７の形状に対応した樹脂材料供給用の凹部を形成した構成を採用することができる。
従って、樹脂材料を供給した凹部を有する離型フィルムを金型３１に供給するときに、
その樹脂材料を供給した凹部を下型３３のキャビティ７の位置に合わせて供給することができる。
この場合においても、下型３３の型面に設けた吸着孔１０で離型フィルム９を吸着する前に、押圧部材３４（上型３２の型面）と下型３３の型面とで離型フィルム９の端部９ａ（辺９ｂを含む）を挟持することにより、従来例に示すような吸着孔１０の吸着にて離型フィルム９の端部９ａ（辺９ｂ）が巻き上がって離型フィルム９が重なり合う状態になることを効率良く防止することができる。
【００５０】
本発明は、前述した実施例のものに限定されるものでなく、本発明の趣旨を逸脱しない範囲内で、必要に応じて、任意且つ適宜に変更・選択して採用できるものである。
【００５１】
前記各実施例では、短尺状の離型フィルム９を用いる構成を例示したが、本発明は、長尺状の離型フィルムを用いる構成に採用することができる。
即ち、本発明を採用することにより、例えば、供給ローラから長尺状の離型フィルムを金型面に供給し、巻き取りローラで長尺状の離型フィルムを巻き取る構成において、長尺状の離型フィルムの供給方向の両側の端部（辺を含む）が巻き上げられることを効率良く防止することができる。
【００５２】
前記した各実施例では、基板に装着した半導体チップを樹脂材料にて封止成形する構成として、半導体チップの圧縮成形用金型（半導体チップの樹脂封止成形用金型）によるコンプレッションモールド法を用いる構成を例示したが、本発明は、ポットとプランジャと樹脂通路とを備えた半導体チップの樹脂封止成形用金型によるトランスファモールド法においても採用することができる。
【図面の簡単な説明】
【００５３】
【図１】図１は、本発明に係る半導体チップの樹脂封止成形用金型（半導体チップの圧縮成形用金型）を概略的に示す概略縦断面図である（実施例１）。
【図２】図２（１）、図２（２）は、図１に示す金型の要部（吸引孔）を拡大して概略的に示す拡大概略縦断面図であって、図２（１）は下型の型面に離型フィルムを被覆させる前の状態を示し、図２（２）は下型の型面に離型フィルムを被覆させた状態を示している（実施例１）。
【図３】図３（１）、図３（２）は、本発明に係る他の半導体チップの樹脂封止成形用金型（半導体チップの圧縮成形用金型）の要部（吸引孔）を拡大して概略的に示す拡大概略縦断面図であって、図３（１）は下型の型面に離型フィルムを被覆させる前の状態を示し、図３（２）は下型の型面に離型フィルムを被覆させた状態を示している（実施例２）。
【図４】図４は、本発明に係る他の半導体チップの樹脂封止成形用金型（半導体チップの圧縮成形用金型）の要部を拡大して概略的に示す拡大概略縦断面図であって、下型の型面に離型フィルムを被覆させる前の状態を示している（実施例３）。
【図５】図５は、図４に対応する金型を示す拡大概略縦断面図であって、下型の型面に離型フィルムを被覆させた状態を示している（実施例３）。
【図６】図６（１）、図６（２）は、従来の半導体チップの樹脂封止成形用金型（半導体チップの圧縮成形用金型）を概略的に示す拡大概略縦断面図であって、図６（１）は下型の型面に離型フィルムを被覆させた状態を示し、図６（２）は金型を型締めして離型フィルムを上下両型の型面で挟持した状態を示している。
【符号の説明】
【００５４】
１    半導体チップの樹脂封止成形用金型（半導体チップの圧縮成形用金型）
２    固定上型
３    可動下型
４    半導体チップ
５    基板
６    基板供給部（基板セット用凹所）
７    下型キャビティ
８    キャビティ底面部材
９    短尺状の離型フィルム
９ａ  端部（短尺状の離型フィルム）
９ｂ  辺（短尺状の離型フィルム）
１０    吸着孔（型面）
１１    シール部材（外気遮断部材）
１２    吸引孔
１２ａ  開口部（吸引孔）
１３    真空引き機構（吸引孔）
１４    吸引経路（吸引孔）
２１    半導体チップの樹脂封止成形用金型（半導体チップの圧縮成形用金型）
２２    可動下型
２３    吸引孔
２３ａ  開口部（吸引孔）
２３ｂ  深さ（吸引孔）
３１    半導体チップの樹脂封止成形用金型（半導体チップの圧縮成形用金型）
３２    固定上型
３３    可動下型
３４    押圧部材
３５    弾性部材
【図１】
0005128363.tif 000002
【図２】
0005128363.tif 000003
【図３】
0005128363.tif 000004
【図４】
0005128363.tif 000005
【図５】
0005128363.tif 000006
【図６】
0005128363.tif 000007